(57)【要約】【課題】情報処理装置がテレビジョン放送を録画装置に代行録画をさせる際に、情報処理装置が録画装置と通信不能な場合であっても、録画装置によりテレビジョン放送の代行録画を行うことができる情報処理装置及び録画管理装置を提供することを目的とする。【解決手段】放送局からの放送波を受信する受信手段と、情報処理装置にネットワークを介して接続されるとともに放送局からの放送波を受信し録画処理をする録画管理装置に対して、視聴処理または録画処理を開始する旨を示す開始情報を送信する送信手段（Ｓ１０２）と、前記録画管理装置からのポーリング信号を受信する毎に、前記受信手段により受信された放送波の受信品質に関する情報である受信品質情報を生成する生成手段（１０５）とを備え、前記送信手段は、前記生成手段により生成された前記受信品質情報を前記録画管理装置に送信する（Ｓ１０９）。【選択図】  図６
2008124636.tif 000002
【特許請求の範囲】
【請求項１】
放送局からの放送波を受信する受信手段と、
情報処理装置にネットワークを介して接続されるとともに放送局からの放送波を受信し録画処理をする録画管理装置に対して、視聴処理または録画処理を開始する旨を示す開始情報を送信する送信手段と、
前記録画管理装置からのポーリング信号を受信する毎に、前記受信手段により受信された放送波の受信品質に関する情報である受信品質情報を生成する生成手段とを備え、
前記送信手段は、前記生成手段により生成された前記受信品質情報を前記録画管理装置に送信することを特徴とする情報処理装置。
【請求項２】
放送局からの放送波を受信する受信手段と、
前記受信手段により受信された放送波を録画処理する録画手段と、
メモリ残量及び電池残量が所定の基準値以上あるか否かを判定する判定手段と、
前記判定手段により前記メモリ残量または電池残量が前記録画処理に必要な所定の基準値よりも小さいと判定された場合、情報処理装置にネットワークを介して接続されるとともに放送局からの放送波を受信し録画処理をする録画管理装置に、録画処理の代行を依頼するための代行録画依頼情報を送信する送信手段とを備えたことを特徴とする情報処理装置。
【請求項３】
前記判定手段により前記メモリ残量及び電池残量が録画処理に必要な所定値以上であると判定された場合に、前記録画手段は、前記受信手段により受信された放送波を録画する請求項２記載の情報処理装置。
【請求項４】
放送局から放送波を受信する情報処理装置から、放送波の視聴処理または録画処理を開始する旨を示す開始情報を受信する受信手段と、
前記受信手段が開始情報を受信した場合に、放送局からの放送波を受信して録画処理する録画手段と、
前記受信手段が開始情報を受信した場合に、前記情報処理装置に対して所定時間毎にポーリング信号を送信する送信手段とを備え、
前記受信手段は、前記ポーリング信号に対する応答として、前記情報処理装置から受信品質を示す受信品質情報を受信し、この受信品質が所定値以上であった場合に、前記録画手段は、録画した録画情報を削除することを特徴とする録画管理装置。
【請求項５】
放送局からの放送波の録画処理を行うための日時等の録画予約情報を記憶する記憶手段と、
前記記憶手段に記憶された録画予約情報の日時に、情報処理装置に対してポーリング信号を送信する送信手段と、
前記ポーリング信号に対する応答として、前記情報処理装置から受信品質を示す受信品質情報を受信する受信手段と、
前記受信品質情報を受信しなかった場合、及び、前記受信手段が受信した受信品質が所定値を下回った場合に、前記情報処理装置の代行として、放送局からの放送波を受信して録画処理する録画手段とを備えたことを特徴とする録画管理装置。
【発明の詳細な説明】
【技術分野】
【０００１】
本発明は、地上波ディジタルワンセグ放送を受信して視聴処理や録画処理を行う情報処理装置及び地上波ディジタル放送を受信して録画処理を行う録画管理装置に関する。
【背景技術】
【０００２】
近年、地上波ディジタル放送が開始されるとともに、高画質であることが要求されない携帯電話機等の携帯型の端末を対象にして、地上波ディジタル放送の一部を利用する地上波ディジタルワンセグ放送も開始されている。
【０００３】
例えば携帯電話機でディジタル放送を受信する際に、通話やメール等を使用している間はディジタル放送を視聴できないという問題があった。また、携帯電話機の電池切れ等によりディジタル放送を受信できなくなってしまう恐れもあった。
【０００４】
そこで、情報端末装置において、電波障害等によりテレビジョン放送が受信不能になった際に、記録サーバにテレビジョン放送を受信させて代行録画させるシステムが提案されてきた（特許文献１参照）。
【特許文献１】特開２００４−１１２０７６号公報
【発明の開示】
【発明が解決しようとする課題】
【０００５】
情報端末装置がテレビジョン放送を記録サーバに代行録画をさせる際に、情報端末装置で電波障害等によりテレビジョン放送が受信不能であるか否かを判断して記録サーバに代行録画を依頼する方法では、情報端末装置と記録サーバとの通信が断絶された場合には代行録画を依頼できなくなってしまうという問題があった。
【０００６】
本発明は、このような状況に鑑みてなされたものであり、情報処理装置（情報端末装置）がテレビジョン放送を録画装置（記憶サーバ）に代行録画をさせる際に、情報処理装置が録画装置と通信不能な場合であっても、録画装置によりテレビジョン放送の代行録画を行うことができる情報処理装置及び録画管理装置を提供することを目的とする。
【課題を解決するための手段】
【０００７】
上記課題を解決するために、本発明に係る情報処理装置は、放送局からの放送波を受信する受信手段と、情報処理装置にネットワークを介して接続されるとともに放送局からの放送波を受信し録画処理をする録画管理装置に対して、視聴処理または録画処理を開始する旨を示す開始情報を送信する送信手段と、前記録画管理装置からのポーリング信号を受信する毎に、前記受信手段により受信された放送波の受信品質に関する情報である受信品質情報を生成する生成手段とを備え、前記送信手段は、前記生成手段により生成された前記受信品質情報を前記録画管理装置に送信することを特徴とする。
【０００８】
また、本発明に係る録画管理装置は、放送局から放送波を受信する情報処理装置から、放送波の視聴処理または録画処理を開始する旨を示す開始情報を受信する受信手段と、前記受信手段が開始情報を受信した場合に、放送局からの放送波を受信して録画処理する録画手段と、前記受信手段が開始情報を受信した場合に、前記情報処理装置に対して所定時間毎にポーリング信号を送信する送信手段とを備え、前記受信手段は、前記ポーリング信号に対する応答として、前記情報処理装置から受信品質を示す受信品質情報を受信し、この受信品質が所定値以上であった場合に、前記録画手段は、録画した録画情報を削除することを特徴とする。
【発明の効果】
【０００９】
本発明によると、情報処理装置がテレビジョン放送を録画装置に代行録画をさせる際に、情報処理装置が録画装置と通信不能な場合であっても、録画装置によりテレビジョン放送の代行録画を行うことが可能となる。
【発明を実施するための最良の形態】
【００１０】
本発明に係る情報処理装置及び録画管理装置の実施形態について、添付図面を参照しながら説明する。なお、本発明に係る情報処理装置１として、携帯電話機型の情報処理装置１を例にとって説明する。
【００１１】
図１に、本発明に係る情報処理装置１及び録画管理装置２が適用されるネットワークシステム３の構成図を示す。
【００１２】
このネットワークシステム３において、地上波ディジタル放送及び地上波ワンセグディジタル放送の放送局４が複数設置されており、情報処理装置１及び録画管理装置２は、この放送局４から地上波ワンセグディジタル放送波を受信する。
【００１３】
また、ネットワークシステム３には、通信サービスの提供エリアを所望の大きさに分割したセル内にそれぞれ固定無線局である基地局５が設置されている。この基地局５は、移動無線局である情報処理装置１が例えばＷ−ＣＤＭＡ（Wideband-Code Division Multiple Access）方式と呼ばれる符号分割多元接続方式によって無線接続されており、例えば２ＧＨｚ周波数帯域の５ＭＨｚ帯域を利用して、静止時には２Ｍｂｐｓ、移動時には３８４ｋｂｐｓのデータ転送速度で大容量の高速データ通信を行うことができる。
【００１４】
情報処理装置１は、Ｗ−ＣＤＭＡ方式によって大容量データの高速データ通信を行うことにより、音声通話だけでなく電子メールの送受信、簡易ホームページの閲覧、画像の送受信等の多種に及ぶデータ通信が可能である。
【００１５】
また、基地局５は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して種々のコンテンツサーバ（図示せず）が接続されている。
【００１６】
さらに、このネットワーク８には無線ＬＡＮネットワーク９が接続されており、情報処理装置１は、無線ＬＡＮネットワーク９のアクセスポイント１０を介して大容量通信を行うことができる。
【００１７】
このネットワーク８には、例えばユーザの家庭内に設置された録画管理装置２が接続されている。また、この録画管理装置２には、ＴＶ受信機１２を備えた家庭用ビデオ機器等の録画装置１１が接続されている。録画管理装置２は、この録画装置１１を制御し、ＴＶ受信機１２を介して放送局４からの地上波ディジタル放送波を受信して視聴処理または録画処理を実行する。
【００１８】
なお、録画管理装置２、録画装置１１、ＴＶ受信機１２はそれぞれ別個に設けられていても、録画管理装置２の内部に録画装置１１、ＴＶ受信機１２が内臓されていても構わない。
【００１９】
図２及び図３に、情報処理装置１の一例として説明に用いている折り畳み型の携帯電話機の外観図を示す。図２［Ａ］は、情報処理装置１の約１８０度に見開いた状態の正面図であり、図２［Ｂ］は、情報処理装置１の見開いた状態の側面図である。また、図３［Ａ］は、情報処理装置１の折り畳んだ状態の正面図であり、図３［Ｂ］は、情報処理装置１の折り畳んだ状態の側面図である。
【００２０】
図２及び図３に示されるように、情報処理装置１は、中央のヒンジ部２１を境に第１の筐体２２と第２の筐体２３とがヒンジ結合されており、ヒンジ部２１を介して図２のＸ方向に折り畳み可能に形成される。情報処理装置１の内部の所定の位置には、送受信用のアンテナ（後述する図４のアンテナ５７）が設けられており、内蔵されたアンテナ５７を介して基地局（図示せず）との間で電波を送受信する。
【００２１】
第１の筐体２２の中央部には、メインディスプレイ２５が設けられている。このメインディスプレイ２５の上部には、現在のアンテナ５７の感度のレベルを示すアンテナピクト、情報処理装置１の現在の電池残量を示す電池ピクト、現在の時刻等が表示される。このメインディスプレイ２５には、「Ｒ」及び「Ｓ」のマークが表示される。「Ｒ」のマークは、地上波ディジタルワンセグ放送波を録画中である旨を示し、「Ｓ」のマークは、録画管理装置２において地上波ディジタルワンセグ放送波または地上波ディジタル放送波を録画中である旨を示す。メインディスプレイ２５の中央部には、地上波ディジタルワンセグ放送波の視聴処理を行っている際に、視聴処理が行われている番組の動画像画面、地上波ディジタルワンセグ放送波に付属されたニュース等の文字情報、視聴処理が行われている番組の番組情報等が表示される。メインディスプレイ２５の下部には、後述する操作キー２４に対して任意の処理が割り当てられていることを示す「選択」、「メニュー」等の処理内容が表示されている。
【００２２】
また、メインディスプレイ２５の上部の所定の位置にはスピーカ２８が設けられており、これにより、ユーザが音声を聞くことが可能となる。
【００２３】
第１の筐体２２には、その表面に「０」〜「９」の数字キー、発呼キー、リダイヤルキー、終話・電源キー、クリアキー、および電子メールキーなどの操作キー２４が設けられており、ユーザは操作キー２４を用いて各種指示を入力することができる。
【００２４】
第１の筐体２２には、操作キー２４として上部に十字キーと確定キーが設けられており、ユーザが十字キーを上下左右方向に操作することにより当てられたカーソルを上下左右方向に移動させることができる。具体的には、第２の筐体２３に設けられたメインディスプレイ２５に表示されている電話帳リストや電子メールのスクロール動作、簡易ホームページのページ捲り動作および画像の送り動作などの種々の動作を実行する。
【００２５】
また、確定キーを押下することにより、種々の機能を確定することができる。例えば第１の筐体２２は、ユーザによる十字キーの操作に応じてメインディスプレイ２５に表示された電話帳リストの複数の電話番号の中から所望の電話番号が選択され、確定キーが第１の筐体２２の内部方向に押圧されると、選択された電話番号を確定して電話番号に対して発呼処理を行う。
【００２６】
さらに、第１の筐体２２には、十字キーと確定キーの左隣に電子メールキーが設けられており、電子メールキーが第１の筐体２２の内部方向に押圧されると、メールの送受信機能を呼び出すことができる。十字キーと確定キーの右隣には、ブラウザキーが設けられており、ブラウザキーが第１の筐体２２の内部方向に押圧されると、Ｗｅｂページのデータを閲覧することが可能となる。なお、十字キーと確定キーの左右隣に設けられた電子メールキーおよびブラウザキーは、メインディスプレイ２５に表示される画面により例えば「Yes」や「No」等の種々の機能をもつことが可能であるため、それぞれ、soft１キーおよびsoft２キーと呼ばれる。
【００２７】
また、第１の筐体２２には、操作キー２４の下部にマイクロフォン２６が設けられており、マイクロフォン２６によって通話時のユーザの音声を集音する。また、第１の筐体２２には、情報処理装置１の操作を行うサイドキー２７が設けられている。
【００２８】
なお、第１の筐体２２は、背面側に図示しないバッテリパックが挿着されており、終話・電源キーがオン状態になると、バッテリパックから各回路部に対して電力が供給されて動作可能な状態に起動する。
【００２９】
ところで、第１の筐体２２には、第１の筐体２２の下部の所定の位置に抜差自在なメモリカードを挿着するためのメモリカードスロット（図示せず）が設けられており、メモボタン（図示せず）が押下されるとメモリカードに通話中の相手の音声を記録したり、ユーザの操作に応じて電子メール、簡易ホームページ、ＣＣＤカメラで撮像した画像を記録することができる。
【００３０】
ここで、メモリカードは、ＮＡＮＤ型フラッシュメモリカードやＮＯＲ型フラッシュメモリカードなどに代表されるフラッシュメモリカードの一種であり、小型薄型形状のプラスチックケース内に電気的に書換えや消去が可能な不揮発性メモリであるフラッシュメモリ素子を格納したものであり、１０ピン端子を介して画像や音声、音楽等の各種データの書き込み及び読み出しが可能となっている。
【００３１】
また、メモリカードは、大容量化等による内蔵フラッシュメモリの仕様変更に対しても、使用する機器で互換性を確保することができる独自のシリアルプロトコルを採用し、高速性能を実現しているとともに、誤消去防止スイッチを設けて高い信頼性を確保している。
【００３２】
従って、情報処理装置１は、このようなメモリカードを挿着可能に構成されているために、メモリカードを介して他の電子機器との間でデータの共有化を図ることができる。
【００３３】
また、所定の機能を拡張するためのモジュール（チップ）をメモリカードに組み込み、メモリカードスロット（図示せず）にそれを装着させることにより、情報処理装置１の機能をさらに拡張させることができる。
【００３４】
例えば、非接触ＩＣ（Integrated Circuit）チップが組み込まれたメモリカードを情報処理装置１に装着することにより、非接触ＩＣチップが情報処理装置１に内蔵されていない場合であっても、非接触ＩＣチップが内蔵された場合と同様の電子決済機能などを有するように機能を拡張させることもできる。
【００３５】
また、第１の筐体２２と第２の筐体２３の内部の所定の位置には、情報処理装置１の状態を検知するための磁気センサ２９a、２９b、２９c、および２９dが設けられている。
【００３６】
第２の筐体２３の上部には、ＣＣＤカメラ３０が設けられており、これにより、ユーザが所望の撮影対象を撮像することが可能となる。
【００３７】
ＣＣＤカメラ３０の下部には、サブディスプレイ３１が設けられており、現在のアンテナ５７の感度のレベルを示すアンテナピクト、情報処理装置１の現在の電池残量を示す電池ピクト、現在の時刻などが表示される。このサブディスプレイ３１には、メインディスプレイ２５と同様に、「Ｒ」及び「Ｓ」のマークが表示される。
【００３８】
サブディスプレイ３１の下部には、さらに、静電タッチパッド３２が設けられる。静電タッチパッド３２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００３９】
また、スピーカ２８の上部の所定の位置には、２つのＬＥＤ（Light Emitting Diode）３３ａと３３ｂが設けられており、ＬＥＤ３３ａを点滅あるいは点灯させることで、情報処理装置１において受信された地上波ディジタルワンセグ放送波を録画中である旨をユーザに報知したり、ＬＥＤ３３ｂを点滅あるいは点灯させることで、録画管理装置２において地上波ディジタルワンセグ放送波または地上波ディジタル放送波を録画中である旨をユーザに報知することができる。もちろん、このような場合に限らず、メインディスプレイ２５の全画面において地上波ディジタルワンセグ放送波を表示しているときのみ、ＬＥＤ３３ａを点滅または点灯させるようにしてもよい。
【００４０】
図４は、情報処理装置１の機能構成図である。
【００４１】
情報処理装置１は、図４に示すように、主制御部４１、記憶部４２、電源回路部４３、操作入力制御４４、ＬＣＤ制御部４５、カメラインターフェース４６、画像エンコーダ４７、音声コーディック４８、変復調回路部４９、多重化分離部５０、画像デコーダ５１、無線ＬＡＮモジュール５２、地上波ディジタルワンセグ受信部５３、記録再生部５４がバス５５によって相互に接続されて構成される。
【００４２】
主制御部４１は、様々なデータ処理や演算を行うＣＰＵ（Central Processing Unit）からなる。記憶部４２は、主制御部４１が行う処理プログラム等を格納するＲＯＭ（Read Only Memory）やハードディスク等の磁気的な記憶装置、主制御部４１が処理を行う際に使用するデータを一時的に記憶するＲＡＭ（Random Access Memory）等の電気的な記憶装置とからなる。また、主制御部４１には、現在の日付と時刻を計測するタイマが内蔵されている。
【００４３】
電源回路部４３は、ユーザの操作キー２４による入力により電源のオン／オフ状態を切り替え、電源がオン状態の場合には電源（バッテリパック等）から各部に対して電力を供給して、情報処理装置１を動作可能にする。
【００４４】
操作入力制御部４４は、操作キー１４によって入力されたデータを主制御部４１に伝送する。
【００４５】
ＬＣＤ制御部４５は、主制御部４１の制御に基づいて、画像データをメインディスプレイ２５またはサブディスプレイ３１に表示する処理を行う。
【００４６】
カメラインターフェース４６は、ＣＣＤカメラ３０で撮像した画像信号をＬＣＤ制御部４５を介してメインディスプレイ２５またはサブディスプレイ３１に表示する。
【００４７】
画像エンコーダ４７は、主制御部４１の制御に基づいて、ＣＣＤカメラ３０が入力した画像信号を、例えばＭＰＥＧ−４（Moving Picture Experts Group-4）等の所定の符号化方式によって圧縮符号化して画像データを作成したり、符号化された画像データを他の符号化方式に変換して新たな画像データを作成したりする。
【００４８】
音声コーディック４８は、主制御部４１の制御に基づいて、マイクロフォン２６で集音した音声からアナログ音声信号を生成する。
【００４９】
変復調回路部４９は、音声コーディック４８からアナログ音声信号を入力してディジタル音声信号に変換し、送受信回路部５６に伝送する。送受信回路部５６はこのディジタル音声信号をアンテナ５７を介して送信する。
【００５０】
また、変復調回路部４９は、送受信回路部４６がアンテナ５７を介して受信したディジタル音声信号を入力し、このディジタル音声信号をアナログ音声信号に変換する。音声コーディック４８は、このアナログ音声信号を取得して、スピーカ２８から音声として出力する。
【００５１】
多重化分離部５０は、複数の信号を重ねて多重化信号を生成する多重化処理、及び、多重化信号を複数の信号に分離する分離処理を行う。
【００５２】
例えば、多重化分離部５０は、変復調回路部４９から入力した多重化動画像信号を、符号化画像信号と音声信号とに分け、メインバスを介して符号化画像信号を画像デコーダ５１に伝送するとともに、音声信号を音声コーディック４８に伝送する。
【００５３】
また、多重化分離部５０は、画像エンコーダ４７から入力した画像信号と音声コーディックから入力した音声信号とを所定の方式で多重化し、その結果得られる多重化信号を、変復調回路部４９に伝送する。
【００５４】
画像デコーダ５１は、送受信回路部５６から符号化画像信号を入力し、この符号化画像信号を所定の符号化方式に対応した復号化方式で復号することにより再生動画像信号を生成し、生成された再生動画像信号をＬＣＤ制御部４５に伝送する。ＬＣＤ制御部４５は、この生成動画信号をメインディスプレイ２５またはサブディスプレイ３１に表示する。
【００５５】
無線ＬＡＮモジュール５２は、内蔵されたアンテナ（図示せず）を介して、ＩＥＥＥ８０２．１１ａ／ｂ／ｇ等の所定の規格に準拠した無線ＬＡＮ通信を行う。
【００５６】
地上波ディジタルワンセグ受信部５３は、放送局４からの地上波ディジタルワンセグ放送波を受信する。地上波ディジタルワンセグ受信部５３は、この地上波ディジタルワンセグ放送波を、視聴処理を行う際には多重分離部５０に、録画処理を行う際には記憶部４２に供給する。
【００５７】
記録再生部５４は、メモリカード５８等の外部メモリに対するインターフェースを備え、このメモリカード５８等に対して書き込み処理や読み込み処理を行う。
【００５８】
主制御部４１は、電子メール等のデータを送信する場合、操作キー２４の操作によって入力された電子メールのテキストデータを操作入力制御部４４を介して主制御部４１に送出する。主制御部４１は、テキストデータを変復調回路部４９でスペクトラム拡散処理し、送受信回路部５６でディジタルアナログ変換処理及び周波数変換処理を施した後にアンテナ５７を介して送信する。
【００５９】
また、主制御部４１は、電子メール等のデータを受信する場合、アンテナ５７を介して受信した受信信号を変復調回路部４９でスペクトラム逆拡散処理して元のテキストデータを復元した後、ＬＣＤ制御部４５を介してメインディスプレイ２５またはサブディスプレイ３１にこのテキストデータを受信メールとして表示する。その後、主制御部４１は、ユーザの操作に応じて受信メールを記憶部４２または記録再生部５４を介してメモリカード５８に記録する。
【００６０】
なお、主制御部４１が実行する種々のアプリケーションプログラムは、記憶部４２に予めインストールしておくことができる。また、主制御部４１が実行する種々のアプリケーションプログラムは、通信回線を介してダウンロードすることにより、記憶部４２にインストールすることができる。さらに、主制御部４１が実行する種々のアプリケーションプログラムは、メモリカード５８に記録しておき、記録再生部５４によって読み出して、記憶部４２にインストールすることも可能である。
【００６１】
図５に、録画管理装置２の内部のハード構成図を示す。
【００６２】
録画管理装置２は、ＣＰＵ６１、ＲＯＭ６２、ＲＡＭ６３、バス６４、入出力インタフェース６５、複数の操作ボタン等からなる入力部６６、スピーカ等からなる出力部６７、ＨＤＤ（Hard Disc Drive）等から構成される記憶部６８、情報処理装置１とデータの送受信を行う通信部６９、及び各メディアに対するインターフェースを備えたドライブ７０により構成される。入出力インタフェース６５には、地上波ディジタルワンセグ放送波の録画処理を行う録画装置１１が接続されている。ドライブ７０に接続されるメディアとしては、例えば磁気ディスク７１、光ディスク７２、光磁気ディスク７３、及び半導体メモリ７４等がある。
【００６３】
ここで、情報処理装置１は、地上波ディジタルワンセグ受信部５３により地上波ディジタルワンセグ放送波を受信して、視聴処理または録画処理を行う。
【００６４】
視聴処理は、多重化分離部５０により地上波ディジタルワンセグ放送波の受信データを音声信号と画像信号が分離して、画像信号をＬＣＤ制御部４５によりメインディスプレイ２５に表示するとともに、音声信号を音声コーディック４８によりスピーカ２８を介して出力する処理である。
【００６５】
録画処理は、地上波ディジタルワンセグ放送波の受信データを記憶部４２により記憶する処理である。
【００６６】
しかしながら、情報処理装置１が移動体として用いられた場合において、放送エリアＡ外において地上波ディジタルワンセグ放送波を受信した際等に、画像の品質が劣化する恐れが十分考えられ、ひどい場合には受信自体ができないことも起こり得る。また、情報処理装置１の電池切れの状態になった場合、情報処理装置１は地上波ディジタルワンセグ放送波を受信することができなくなってしまう。
【００６７】
そこで、情報処理装置１は、地上波ディジタルワンセグ放送波を受信している際には、常にその受信品質を管理することによって、必要に応じて、録画管理装置２に代行録画を依頼する。
【００６８】
受信品質は、情報処理装置１が地上波ディジタルワンセグ放送波を受信した際の電界強度や、画像デコーダ５１や音声コーディック４８における地上波ディジタルワンセグ放送波のデコードの誤り率（誤り頻度）等に基づいて決定される。
【００６９】
本発明の実施形態では、受信品質は、Ａ〜Ｅの５段階の受信品質レベルにより表される。すなわち、受信品質は、Ａ、Ｂ、Ｃ、Ｄ、Ｅの順に品質が下がっていき、例えば受信品質Ａ〜Ｃを品質良好、受信品質Ｄ〜Ｅを品質劣化と定義する。
【００７０】
また、録画管理装置２において、この受信品質の基準レベルが設定され記憶部６８に記憶されており、受信品質レベルがこの基準レベルを下回った場合に、情報処理装置１が録画に失敗したと判断される。本発明の実施形態では、基準レベルを受信品質Ｃとして説明する。
【実施例１】
【００７１】
本発明に係る情報処理装置１及び録画管理装置２の実施例１について、図６〜図１１に基づいて説明する。
【００７２】
始めに、情報処理装置１が録画管理装置２の要求に応じて録画管理装置２に受信品質情報を送信する受信品質情報送信処理の手順を、図６に示すフローチャートに基づいて説明する。
【００７３】
この録画処理は、ユーザにより操作キー１４が操作されることにより録画処理を開始するとの指示がなされることで、開始される。または、情報処理装置１の記憶部４２に予め予約情報が格納されていて、この予約情報に基づいて、主制御部４１により録画処理の開始の指示が行われても良い。なお、この時の予約情報は、視聴処理または録画処理を行う時間帯を示す時間情報、視聴処理または録画処理を行う地上波ディジタルワンセグ放送波の周波数を示すチャンネル情報を含んでいる。
【００７４】
主制御部４１は、地上波ディジタルワンセグ放送波の視聴処理または録画処理を開始する旨の指示がなされたか否かを判断する（Ｓ１０１）。視聴処理または録画処理の開始が支持されなかった場合（Ｓ１０１のＮｏ）は、主制御部４１は、視聴処理または録画処理の開始の指示があるまで待機する。
【００７５】
視聴処理または録画処理の開始が指示された場合（Ｓ１０１のＹｅｓ）は、主制御部４１は、地上波ディジタルワンセグ放送波の視聴処理または録画処理を開始することを示す開始情報を録画管理装置２に送信する（Ｓ１０２）。主制御部４１は、地上波ディジタルワンセグ放送波の視聴処理または録画処理を開始する（Ｓ１０３）。
【００７６】
録画管理装置２は、情報処理装置１が地上波ディジタルワンセグ放送波の視聴処理または録画処理を行っている間は、情報処理装置１に対してポーリング信号を送信してくる。主制御部４１は、この録画管理装置２からのポーリング信号を受信したか否かを定期的に判断する（Ｓ１０４）。ポーリング信号を受信していない場合（Ｓ１０４のＮｏ）には、主制御部４１はそのまま視聴処理または録画処理を継続する。
【００７７】
ポーリング信号を受信した場合（Ｓ１０４のＹｅｓ）には、主制御部４１は、受信している地上波ディジタルワンセグ放送波の画像の受信品質を示す受信品質情報を生成する（Ｓ１０５）。
【００７８】
受信品質情報は、視聴処理または録画処理を行う日付を表す日付情報、開始時刻を示す開始時刻情報、終了時刻を表す終了時刻情報、視聴または録画を行う地上波ディジタルワンセグ放送波のチャンネル（周波数）を示すチャンネル情報、重要度を示す重要フラグ情報、受信品質のレベルを示す受信品質レベル情報を含んでいる。重要フラグ情報は、例えば重要であることを意味する「１」、または重要でないことを意味する「０」のいずれかで表される。この重要フラグ情報は、ユーザにより入力された情報であっても、放送局４から受信した情報であっても良い。
【００７９】
なお、情報処理端末は、図７に示すように、受信品質情報を格納する受信品質情報テーブル８０を有する。この受信品質情報テーブル８０には、日付情報８１、開始時刻情報８２、終了時刻情報８３、重要フラグ情報８４、チャンネル情報８５、受信品質レベル情報８６等の受信品質情報と、品質が所定値以上である品質良好時間を示す品質良好時間情報８７と、品質が所定値未満である品質劣化時間を示す品質劣化時間情報８８とが格納されている。
【００８０】
主制御部４１は、例えば無線ＬＡＮネットワーク９を用いて録画管理装置２との接続を試みる。主制御部４１は、録画管理装置２に対して無線ＬＡＮネットワーク９による接続を要求する。
【００８１】
また、情報処理装置１と録画管理装置２との接続が確認された場合（Ｓ１０６のＹｅｓ）は、主制御部４１は、Ｓ１０５で作成した受信品質情報を録画管理装置２に送信する（Ｓ１０７）。
【００８２】
主制御部４１は、地上波ディジタルワンセグ放送波の視聴処理または録画処理を終了する旨の指示がなされたか否かを判断する（Ｓ１０８）。
【００８３】
視聴処理または録画処理が終了していない場合（Ｓ１０８のＮｏ）には、主制御部４１は、録画管理装置２から再びポーリング信号を受信するまで視聴処理または録画処理を継続する。
【００８４】
視聴処理または録画処理が終了した場合（Ｓ１０８のＮｏ）には、主制御部４１は、地上波ディジタルワンセグ放送波の視聴処理または録画処理を終了する旨を示す終了情報を録画管理装置２に送信する（Ｓ１０９）。
【００８５】
そして、主制御部４１は、地上ディジタルワンセグ放送波の視聴処理または録画処理を終了する（Ｓ１１０）。
【００８６】
次に、録画管理装置２が代行録画処理を行う手順を、図８に示すフローチャートに基づいて説明する。
【００８７】
録画管理装置２は、情報処理装置１から代行録画を依頼された予約情報である代行録画予約情報を保持している。この代行録画予約情報は、録画管理装置２に、代行録画を開始する代行録画開始時刻より以前に情報処理装置１により予め格納されている。
【００８８】
代行録画予約情報は、例えば、情報処理装置１の所有者を示すユーザＩＤ情報及びユーザ名情報、代行録画を行う日付を示す代行録画日付情報、代行録画の開始時刻を示す開始時刻情報、代行録画の終了時刻を示す終了時刻情報、録画する番組の重要度を表す重要フラグ情報、代行録画を行うチャンネルを示す代行録画チャンネル情報を含んでいる。
【００８９】
また、録画管理装置２の記憶部６８は、図９に示すように、この代行録画予約情報と情報処理装置１から取得した受信品質情報とを格納する代行録画情報テーブル９０を有している。
【００９０】
代行録画情報テーブル９０には、ユーザを識別するためのユーザＩＤを示すユーザＩＤ情報９１、ユーザ名を示すユーザ名情報９２、地上波ディジタルワンセグ放送波を代行録画する日付を示す代行録画日付情報９３、代行録画の開始時刻を示す代行録画開始時刻９４、代行録画の終了時刻を示す代行録画終了時刻９５、代行録画する地上波ディジタルワンセグ放送の番組の重要度を示す重要フラグ情報９６、代行録画する地上波ディジタルワンセグ放送の番組のチャンネルを示す代行録画チャンネル情報９７に加えて、情報処理装置１から取得した受信品質情報である受信品質レベル情報９８、品質良好時間情報９９、品質劣化時間情報１００の情報が格納されている。
【００９１】
始めに、録画管理装置２のＣＰＵ６１は、記憶部６８に記憶されている代行録画予約情報における代行録画の開始時刻であるか否かを判断する（Ｓ２００）。
【００９２】
代行録画の開始時刻でなかった場合（Ｓ２００のＮｏ）は、ＣＰＵ６１は、情報処理装置１がＳ１０２にて送信した開始情報であり地上波ディジタルワンセグ放送波の視聴処理または録画処理を開始する旨の通知を受信したか否かを判断する（Ｓ２０１）。
【００９３】
録画管理装置２が、情報処理装置１から、前もって代行録画の依頼である代行録画予約情報を記憶していない場合であっても、情報処理装置１による開始情報を受信した場合には、録画管理装置２は開始情報に基づいて録画処理を行う。
【００９４】
代行録画の開始時刻であった場合（Ｓ２００のＹｅｓ）、あるいは録画管理装置２が開始情報を取得した場合（Ｓ２０１のＹｅｓ）は、録画管理装置２のＣＰＵ６１は、情報処理装置１に代わって代行録画が可能であるか否かを判断する（Ｓ２０２）。
【００９５】
代行録画が不可能であった場合（Ｓ２０２のＹｅｓ）は、ＣＰＵ６１は、代行録画をすることができない旨を示す代行録画不可能情報を情報処理装置１に通信部を介して送信して（Ｓ２０３）、代行録画処理を終了する。
【００９６】
また、代行録画が可能であった場合（Ｓ２０２のＮｏ）は、ＣＰＵ６１は、代行録画処理を開始する（Ｓ２０４）。
【００９７】
ここで、録画管理装置２の記憶部６８は、録画管理装置２が代行録画を行う際に、情報処理装置１の受信品質の送信を促すためポーリング信号を送信する時間間隔（例えば１０分）を示す確認時間の情報を記憶している。ＣＰＵ６１は、ポーリング信号を送信してからの時間をカウントし、確認時間が経過しているか否かを判断する（Ｓ２０５）。
【００９８】
確認時間が経過している場合（Ｓ２０５のＹｅｓ）には、ＣＰＵ６１は、情報処理装置１に再びポーリング信号を送信して（Ｓ２０６）、受信品質情報の送信を促す。ＣＰＵ６１は、ポーリング信号を送信してから所定時間が経過した際に、情報処理装置１から受信品質情報を取得したか否かを判断する（Ｓ２０７）。
【００９９】
情報処理装置１から受信品質情報を取得した場合（Ｓ２０７のＹｅｓ）には、ＣＰＵ６１は、記憶部６８の代行録画予約情報テーブル９０にこの受信品質情報を記憶する（Ｓ２０８）。また、情報処理装置１から受信品質情報を取得しなかった場合（Ｓ２０７のＮｏ）には、情報処理装置１による地上波ディジタルワンセグ放送波の視聴処理または録画処理がきちんと行われたか否かを判断できないため、ＣＰＵ６１は、記憶部６８の代行録画情報テーブルにこのＮＧ情報を記憶する（Ｓ２０９）。このＮＧ情報は、受信品質レベルが品質劣化を示す「Ｄ」または「Ｅ」とされた受信品質情報である。
【０１００】
ＣＰＵ６１は、地上波ディジタルワンセグ放送波の視聴処理または録画処理を終了する旨を示す終了情報を、情報処理装置１から受信したか否かを判断する（Ｓ２１０）。終了情報を取得しなかった場合（Ｓ２１０のＮｏ）は、Ｓ２０５に戻り、代行録画処理を継続する。
【０１０１】
終了情報を取得した場合（Ｓ２１０のＹｅｓ）は、ＣＰＵ６１は、代行録画処理を終了する（Ｓ２１１）。ＣＰＵ６１は、情報処理装置１から取得した受信品質情報にＮＧ情報が含まれているか否かを判断する（Ｓ２１２）。受信品質情報にＮＧ情報が含まれていた場合（Ｓ２１２のＹｅｓ）は、ＣＰＵ６１は、代行録画された録画情報を記憶部６８に記憶する（Ｓ２１３）。
【０１０２】
また、受信情報にＮＧ情報が含まれていなかった場合（Ｓ２１２のＮｏ）は、ＣＰＵ６１は、代行録画開始時刻から代行録画終了時刻までの間に、受信品質が所定レベルより劣化したか否かを判断する（Ｓ２１４）。
【０１０３】
受信品質が所定レベルよりも劣化した場合（Ｓ２１４のＹｅｓ）には、ＣＰＵ６１は、代行録画された録画情報を記憶部６８に記憶する（Ｓ２１３）。
【０１０４】
受信品質が所定レベルよりも劣化しなかった場合（Ｓ２１４のＮｏ）には、ＣＰＵ６１は、代行録画を行った番組の重要フラグ情報により重要であるか否かを判断する（Ｓ２１５）。
【０１０５】
代行録画を行った番組が重要であった場合、すなわち受信品質情報の重要フラグが立っていた（情報フラグ情報が「１」であった）場合（Ｓ２１５のＹｅｓ）は、ＣＰＵ６１は、代行録画された録画情報を記憶部６８に記憶する（Ｓ２１３）。
【０１０６】
また、代行録画を行った番組が重要ではなかった場合、すなわち受信品質情報の重要フラグが立っていなかった（重要フラグ情報が「０」であった）場合（Ｓ２１５のＮｏ）は、ＣＰＵ６１は、代行録画された録画情報を、記憶部６８に記憶せずに消去する（Ｓ２１６）。
【０１０７】
このように、録画管理装置２で代行録画予約されている番組が情報処理装置１により視聴処理または録画処理を行えなかった場合に、録画管理装置２が代行録画を行うことにより、情報処理装置１の所有者は、録画管理装置２に代行録画された録画情報を用いて番組を視聴することが可能となる。
【０１０８】
次に、情報処理装置１において何らかの異常が発生して、地上波ディジタルワンセグ放送波の受信に問題が生じた場合に、情報処理装置１が録画管理装置２に代行録画処理を依頼する代行録画依頼情報送信処理を行う手順を、図１０に示すフローチャートに基づいて説明する。
【０１０９】
情報処理装置１の主制御部４１は、地上波ディジタルワンセグ放送波の録画処理を開始する旨の開始指示がなされたか否かを判断する（Ｓ３０１）。開始指示がなされなかった場合（Ｓ３０１のＮｏ）は、主制御部４１は、代行録画依頼情報送信処理を行わず、そのまま待機する。
【０１１０】
開始指示がなされた場合（Ｓ３０１のＹｅｓ）は、主制御部４１は、情報処理装置１のメモリ残量が録画処理に必要な所定の基準値以上であるか否かを判断する（Ｓ３０２）。
【０１１１】
メモリ残量が基準値以上でなかった場合（Ｓ３０２のＮｏ）は、主制御部４１は、地上波ディジタルワンセグ情報の代行録画処理を依頼する旨を示す代行録画依頼情報を録画管理装置２に送信する（Ｓ３０３）。
【０１１２】
代行録画依頼情報は、代行録画を依頼する地上波ディジタルワンセグ放送の番組の開始時刻を示す開始時刻情報、終了時刻を示す終了時刻情報、チャンネルを示すチャンネル情報、重要であることを示す『１』の値の重要フラグ情報等を含んでいる。
【０１１３】
また、メモリ残量が基準値以上であった場合（Ｓ３０２のＹｅｓ）は、主制御部４１は、情報処理装置１の電池残量が録画処理に必要な所定の基準値以上であるか否かを判断する（Ｓ３０４）。
【０１１４】
電池残量が基準値以上でなかった場合（Ｓ３０４のＮｏ）は、主制御部４１は、代行録画依頼情報を録画管理装置２に送信する（Ｓ３０３）。
【０１１５】
また、電池残量が基準値以上であった場合（Ｓ３０４のＹｅｓ）は、主制御部４１は、地上波ディジタルワンセグ放送波の録画処理を開始する（Ｓ３０５）。なお、既に録画処理を開始している場合は、主制御部４１は録画処理を継続する。
【０１１６】
主制御部４１は、一定時間毎に地上波ディジタルワンセグ放送波の録画処理を終了する旨の終了指示がなされたか否かを判断する（Ｓ３０６）。終了指示がなされていない場合（Ｓ３０６のＮｏ）は、主制御部４１は録画処理を継続する。
【０１１７】
また、終了指示がなされた場合（Ｓ３０６のＹｅｓ）は、主制御部４１は、地上波ディジタルワンセグ放送波の録画処理を終了する（Ｓ３０７）。
【０１１８】
このように、情報処理装置１においてメモリ残量や電池残量が足りなくなった場合に、録画管理装置２に代行録画を依頼することにより、情報処理装置１の所有者は見たい地上波ディジタルワンセグ放送波の番組を見逃してしまうことを防止することが可能となる。
【０１１９】
次に、録画管理装置２が情報処理装置１から代行録画依頼情報を取得した際に、録画管理装置２が代行録画処理を行う手順を、図１１に示すフローチャートに基づいて説明する。
【０１２０】
始めに、録画管理装置２のＣＰＵ６１は、情報処理装置１から代行録画依頼情報を取得したか否かを判断する（Ｓ４０１）。代行録画依頼情報を取得していない場合（Ｓ４０１のＮｏ）は、ＣＰＵ６１は、代行録画処理を行わずに待機する。
【０１２１】
代行録画依頼情報を取得した場合（Ｓ４０１のＹｅｓ）は、ＣＰＵ６１は、この代行録画依頼情報に含まれているチャンネル情報を抽出して、代行録画を依頼された番組のチャンネルが録画可能なチャンネルであるか否かを判断する（Ｓ４０２）。これは、地域等によって録画できないチャンネルがあることを考慮したものである。
【０１２２】
録画可能なチャンネルでなかった場合（Ｓ４０２のＮｏ）は、ＣＰＵ６１は、代行録画処理を行わずに、代行録画をすることができない旨を示す代行録画不可能情報を情報処理端末に送信する（Ｓ４０３）。
【０１２３】
また、録画可能なチャンネルであった場合（Ｓ４０２のＹｅｓ）は、ＣＰＵ６１は、代行録画処理を開始する（Ｓ４０４）。
【０１２４】
ＣＰＵ６１は、一定時間毎に代行録画の終了時刻であるか否かを判断し（Ｓ４０５）、終了時刻でなかった場合（Ｓ４０５のＮｏ）は、Ｓ４０５に戻って代行録画処理を継続する。
【０１２５】
また、終了時刻であった場合または終了時刻を経過した場合（Ｓ４０５のＹｅｓ）は、代行録画処理を終了する（Ｓ４０６）。
【０１２６】
このようにして、録画管理装置２による代行録画処理が行われる。
【０１２７】
なお、情報処理装置１が圏外であり、地上波ディジタルワンセグ放送の放送エリア圏内であった場合、情報処理装置１に、番組の視聴処理または録画処理の開始から終了までの受信品質情報を蓄積しておき、情報処理装置１が圏内に復帰した際に録画管理装置２に一括して受信品質情報を送信するようにしても良い。
【０１２８】
録画管理装置２は、情報処理装置１から一括して受信品質通知があった場合、番組の録画処理中または録画処理終了後に、受信品質に応じて、録画した番組を部分消去、全消去、全保存を行う。
【０１２９】
また、録画管理装置２では、予め、情報処理装置１から視聴処理または録画処理の予約情報（放送時、チャンネル、番組等を含んだ情報）の通知を受信しておくことで、この時間に情報処理装置１へのポーリング開始、または情報処理装置１からの定期通知を受信することで、受信品質やポーリング応答の有無、または、定期通知の有無に応じて、代行録画処理を開始する。
【０１３０】
さらに、録画管理装置２で録画され番組を再生する場合、品質劣化情報に対応して、特に受信品質が劣化した部分に早送りまたはスキップする機能を実現しても良い。
【０１３１】
本発明の実施形態として携帯電話機型の情報処理装置１について説明したが、これに限らず、ＰＤＡ（Personal Digital Assistant）、パーソナルコンピュータ等、様々な情報処理装置１にも適用することができる。
【０１３２】
また、本発明の実施形態では、情報処理装置１及び録画管理装置２が地上波ディジタルワンセグ放送波を受信する場合について説明したが、これに限らず、地上波ディジタル放送波、地上波ディジタル３セグメントラジオ放送波等であっても構わない。
【０１３３】
また、本発明の実施形態において説明した一連の処理は、ソフトウェアにより実行させることもできるが、ハードウェアにより実行させることもできる。
【０１３４】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【実施例２】
【０１３５】
本発明に係る情報処理装置１及び録画管理装置２の実施例２について、図１２及び図１３に基づいて説明する。
【０１３６】
まず、情報処理装置１が録画管理装置２の要求に応じて録画管理装置２に受信品質情報を送信する受信品質情報送信処理の手順を、図１２に示すフローチャートに基づいて説明する。
【０１３７】
図１２に示したＳ５０１〜Ｓ５１０の処理は、Ｓ５０４の処理を除いて、実施例１の図６に示したＳ１０１〜Ｓ１１０と同様である。
【０１３８】
実施例１では、Ｓ１０４において、情報処理装置１は、録画装置からのポーリング信号を受信したか否かを判断して、ポーリング信号を受信した場合に受信品質情報を生成している（Ｓ１０５）。一方、実施例２では、Ｓ５０４において、情報処理装置は、予め設定された所定時間（例えば１０分）が経過しているか否かを判断して、所定時間が経過していた場合に受信品質情報を生成する（Ｓ５０５）。
【０１３９】
次に、録画管理装置２が代行録画処理を行う手順を、図１３に示すフローチャートに基づいて説明する。
【０１４０】
図１３に示したＳ６０１〜Ｓ６１６の処理は、実施例１の図８に示したＳ２００〜Ｓ２１６の処理からＳ２０６の処理を省いた処理と同様である。
【０１４１】
実施例１では、Ｓ２０６において、録画管理装置２は、情報処理装置１に対してポーリング信号を送信している。一方、実施例２では、録画管理装置２は、情報処理装置１に対してポーリング信号を送信せずに、所定時間（例えば１０分）経過後に（Ｓ６０６）、情報処理装置１から受信品質情報を受信したか否かを判断する（Ｓ６０７）。
【０１４２】
実施例２によると、録画管理装置２は、情報処理装置１から受信した受信品質情報から、情報処理装置１における地上波ディジタルワンセグ放送の受信品質を判断できるとともに、情報処理装置１からの受信品質情報の受信が定期的に行われなかった場合には、情報処理装置１における地上波ディジタルワンセグ放送の受信品質が品質劣化であると判断することができる。
【図面の簡単な説明】
【０１４３】
【図１】本発明に係る情報処理装置が適用されるネットワークシステムの構成図。
【図２】本発明に係る情報処理装置の外観図。
【図３】本発明に係る情報処理装置の外観図。
【図４】本発明に係る情報処理装置の構成図。
【図５】本発明に係る録画管理装置の構成図。
【図６】本発明に係る情報処理装置が受信品質情報送信処理を行う手順を示すフローチャート。
【図７】受信品質情報を示すデータ構成図。
【図８】本発明に係る録画管理装置が代行録画処理を行う手順を示すフローチャート。
【図９】代行録画予約情報を示すデータ構成図。
【図１０】本発明に係る情報処理装置が受信品質情報送信処理を行う手順を示すフローチャート。
【図１１】本発明に係る録画管理装置が代行録画処理を行う手順を示すフローチャート。
【図１２】本発明に係る情報処理装置が受信品質情報送信処理を行う手順（実施例２）を示すフローチャート。
【図１３】本発明に係る録画管理装置が代行録画処理を行う手順（実施例２）を示すフローチャート。
【符号の説明】
【０１４４】
１  情報処理装置
２  録画管理装置
３  ネットワークシステム
４  放送局
５  基地局
６  公衆回線網
７  アクセスサーバ
８  ネットワーク
９  無線ＬＡＮネットワーク
１０  アクセスポイント
１１  録画装置
１２  ＴＶ受信機
２１  ヒンジ部
２２  第１の筐体
２３  第２の筐体
２４  操作キー
２５  メインディスプレイ
２６  マイクロフォン
２７  サイドキー
２８  スピーカ
２９ａ〜２９ｄ  磁気センサ
３０  ＣＣＤカメラ
３１  サブディスプレイ
３２  静電タッチパッド
３３ａ、３３ｂ  ＬＥＤ
４１  主制御部
４２  記憶部
４３  電源回路部
４４  操作入力制御部
４５  ＬＣＤ制御部
４６  カメラインターフェース
４７  画像エンコーダ
４８  音声コーディック
４９  変復調回路部
５０  多重化分離部
５１  画像デコーダ
５２  無線ＬＡＮモジュール
５３  地上波ディジタルワンセグ受信部
５４  記録再生部
５５  バス
５６  送受信回路部
５７  アンテナ
５８  メモリカード
６１  ＣＰＵ
６２  ＲＯＭ
６３  ＲＡＭ
６４  バス
６５  入出力インターフェース
６６  入力部
６７  出力部
６８  記憶部
６９  通信部
７０  ドライブ
７１  磁気ディスク
７２  光ディスク
７３  光磁気ディスク
７４  半導体メモリ
８０  受信品質情報テーブル
９０  代行録画予約情報テーブル
Ａ  放送エリア
【図１】
2008124636.tif 000003
【図２】
2008124636.tif 000004
【図３】
2008124636.tif 000005
【図４】
2008124636.tif 000006
【図５】
2008124636.tif 000007
【図６】
2008124636.tif 000008
【図７】
2008124636.tif 000009
【図８】
2008124636.tif 000010
【図９】
2008124636.tif 000011
【図１０】
2008124636.tif 000012
【図１１】
2008124636.tif 000013
【図１２】
2008124636.tif 000014
【図１３】
2008124636.tif 000015